(57)【特許請求の範囲】
【請求項１】
筐体と、
前記筐体の外面に露出して配置される入力端子と、
前記入力端子を介して入力された電圧信号を、充電信号と通信信号とに分離する分波部と、
前記分波部にて分離された前記充電信号に基づく充電電圧に応じて、前記筐体に配設された２次電池を充電する充電部と、
前記電圧信号が入力されてから所定時間が経過した場合に前記分波部にて分離された前記通信信号に基づき制御を行う制御部と、
を備えることを特徴とする電子機器。
【請求項２】
前記分波部は、所定の条件が満たされるときに前記入力された電圧信号の分離を行い、
前記充電部は、前記所定の条件が満たされないときには、前記入力された電圧信号に基づく充電電圧に応じて前記２次電池を充電することを特徴とする請求項１に記載の電子機器。
【請求項３】
前記通信信号に基づく制御を行うか否かの設定を切り替える設定切替部を更に備え、
前記所定の条件は、前記設定切替部による設定が前記通信信号に基づく制御を行う設定であることを特徴とする請求項２に記載の電子機器。
【請求項４】
前記入力端子に前記電圧信号が入力されたか否かを判定する入力判定手段と、
前記入力判定手段によって前記電圧信号が入力されたと判定されたときに、電源がＯＦＦ状態である場合には電源をＯＮ状態に切り替える電源切替手段と、を備えることを特徴とする請求項１から請求項３のいずれか１項に記載の電子機器。
【請求項５】
請求項１から請求項４のいずれか１項に記載の電子機器と、
充電信号と通信信号とを時間差を設けて混合して前記電圧信号を生成する混合器および、前記混合器にて生成された電圧信号を出力する出力端子を備えた信号出力装置と、を備え、
前記入力端子が前記出力端子に接続されることにより、前記電圧信号が前記電子機器に入力されることを特徴とする電子機器制御システム。
【発明の詳細な説明】
【技術分野】
【０００１】
本発明は、電子機器および電子機器制御システムに関する。
【背景技術】
【０００２】
従来、携帯電話機等の電子機器の製造工程において、製品の機能を検査するために制御信号を入力する必要があった。このためには、電子機器に検査用の端子が設けられ、この端子とケーブルを接続することにより検査装置からデータ転送を行っている。例えば、特許文献１には、製造工程およびデザインの自由度が制限されないように、筐体内に配置される基板上に試験用端子を実装した無線電話端末装置が提案されている。
【０００３】
また、近年では、インタフェース端子あるいは赤外線の送受信部を備えることにより、外部との通信を可能とする電子機器も多い。このような通信機能を利用して検査用の制御信号を入力することも考えられる。
【特許文献１】特開平０８−０１９０３３号公報
【発明の開示】
【発明が解決しようとする課題】
【０００４】
しかしながら、上記の検査用の端子やインタフェース端子を介して有線の通信を行う場合には、これらの端子と対になる検査装置側の接続端子または通信ケーブルとを勘合させる必要があり、通信可能な状態にするための工数が多く必要になる。更に、検査を繰り返す場合には、検査装置側の接続端子の耐久性が課題となり、メンテナンスの工数も多く必要になる。
【０００５】
また、赤外線通信により無線で制御信号を入力する場合には、検査対象の電子機器を操作して通信モードに設定する必要があるため、工数が多く必要になる。更に、赤外線通信の特性上、光軸のずれにより通信不能となりやすいため、検査装置への設置が難しく、工数の増大につながるという問題があった。
【０００６】
そこで、本発明は、入力される信号に基づき制御を行う電子機器および電子機器制御システムを提供することを目的とする。
【課題を解決するための手段】
【０００７】
本発明に係る電子機器は、筐体と、前記筐体の外面に露出して配置される充電端子と、前記充電端子を介して入力された電圧信号を、充電信号と通信信号とに分離する分波部と、前記分波部にて分離された前記充電信号に基づく充電電圧に応じて、前記筐体に配設された２次電池を充電する充電部と、前記分波部にて分離された前記通信信号に基づき制御を行う制御部と、を備えることを特徴とする。
【０００８】
また、前記分波部は、所定の条件が満たされるときに前記入力された電圧信号の分離を行い、前記充電部は、前記所定の条件が満たされないときには、前記入力された電圧信号に基づく充電電圧に応じて前記２次電池を充電することが好ましい。
【０００９】
また、本発明に係る電子機器は、前記通信信号に基づく制御を行うか否かの設定を切り替える設定切替部を更に備え、前記所定の条件は、前記設定切替部による設定が前記通信信号に基づく制御を行う設定であることが好ましい。
【００１０】
また、本発明に係る電子機器は、前記充電端子に前記電圧信号が入力されたか否かを判定する入力判定手段と、前記入力判定手段によって前記電圧信号が入力されたと判定されたときに、電源がＯＦＦ状態である場合には電源をＯＮ状態に切り替える電源切替手段と、を備えることが好ましい。
【００１１】
また、本発明に係る電子機器制御システムは、充電信号と通信信号とを混合して前記電圧信号を生成する混合器および、前記混合器にて生成された電圧信号を出力する出力端子を備えた信号出力装置を備え、前記充電端子が前記出力端子に接続されることにより、前記電圧信号が前記電子機器に入力されることを特徴とする。
【発明の効果】
【００１２】
本発明によれば、電子機器における制御のための信号入力を容易に行うことができる。
【発明を実施するための最良の形態】
【００１３】
以下、本発明の実施形態について説明する。
【００１４】
図１は、本発明に係る電子機器の一例である携帯電話機１の外観斜視図である。なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００１５】
携帯電話機１は、操作部側筐体２と、表示部側筐体３と、を備えて構成される。操作部側筐体２は、表面部１０に、操作部１１と、携帯電話機１の使用者が通話時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００１６】
また、表示部側筐体３は、表面部２０に、各種情報を表示するためのＬＣＤ（Ｌｉｑｕｉｄ  Ｃｒｙｓｔａｌ  Ｄｉｓｐｌａｙ）表示部２１と、通話の相手側の音声を出力するスピーカ２２と、を備えて構成されている。
【００１７】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００１８】
図２は、折り畳み状態の携帯電話機１を操作部側筐体２側から見た概観図である。操作部側筐体２には、後述する充電池４８を装着するための開口部が形成されると共に、この開口部を塞ぐようにバッテリーリッド１６が配置され、充電端子１７を更に備える。この充電端子１７から充電電圧が入力されることにより、充電池４８への充電が行われる。
【００１９】
図３は、携帯電話機１の機能を示すブロック図である。携帯電話機１は、操作部１１と、マイク１２と、メインアンテナ４０と、ＲＦ回路部４１と、ＬＣＤ制御部４２と、音声処理部４３と、メモリ４４と、充電端子１７と、スイッチ４５と、分波器４６と、充電部４７と、充電池４８と、通信制御部４９と、電源制御回路部５０と、ＣＰＵ５１と、が操作部側筐体２に備えられ、ＬＣＤ表示部２１と、スピーカ２２と、ドライバＩＣ２３とが表示部側筐体３に備えられている。
【００２０】
メインアンテナ４０は、所定の使用周波数帯（例えば、８００ＭＨｚ）で外部装置と通信を行う。なお、本実施形態では、所定の使用周波数帯として、８００ＭＨｚとしたが、これ以外の周波数帯であってもよい。また、メインアンテナ４０は、所定の使用周波数帯の他に、他の使用周波数帯（例えば、２ＧＨｚ）に対応できる、いわゆるデュアルバンド対応型による構成であってもよい。
【００２１】
ＲＦ回路部４１は、メインアンテナ４０によって受信した信号を復調処理し、処理後の信号をＣＰＵ５１に供給し、また、ＣＰＵ５１から供給された信号を変調処理し、メインアンテナ４０を介して外部装置（基地局）に送信する。また、その一方で、メインアンテナ４０によって受信している信号の強度をＣＰＵ５１に通知を行う。
【００２２】
ＬＣＤ制御部４２は、ＣＰＵ５１の制御にしたがって、所定の画像処理を行い、処理後の画像データをドライバＩＣ２３に出力する。ドライバＩＣ２３は、ＬＣＤ制御部４２から供給された画像データをフレームメモリに蓄え、所定のタイミングでＬＣＤ表示部２１に出力する。
【００２３】
音声処理部４３は、ＣＰＵ５１の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２４】
また、音声処理部４３は、ＣＰＵ５１の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２５】
メモリ４４は、例えば、ワーキングメモリを含み、ＣＰＵ５１による演算処理に利用される。なお、メモリ４４は、着脱可能な外部メモリを兼ねていてもよい。
【００２６】
スイッチ４５は、充電端子１７に入力された電圧信号を、分波器４６へ供給するか、充電部４７へ供給するかの設定を切り替える。ここで、携帯電話機１の製造工程においては、電圧信号を分波器４６へ供給するように設定される。
【００２７】
なお、このスイッチ４５は、製造工程を終了後に設定を変更し、電圧信号を充電部４７へ供給するようにしてもよい。これにより、電圧信号は、分波器４６を介さず、直接に充電部４７へ入力される。したがって、後述する分波器４６および通信制御部４９の機能を使用しない状態となるため、一般ユーザが使用中に誤作動を起こす原因を排除できる。
【００２８】
分波器４６は、充電端子１７およびスイッチ４５を介して入力された電圧信号を、充電池４８の充電のための充電信号と、携帯電話機１の検査のための通信信号とに分離する。ここで、電圧信号は、充電信号と通信信号とが重畳された信号となっており、充電信号に比べて微小な電圧の変動を通信信号として取り出すことにより分離する。
【００２９】
図４は、充電端子１７間に入力される電圧信号（ａ）に対して、分波器４６による分波後の充電信号（ｂ）および通信信号（ｃ）の時間変化の例を示すグラフである。
【００３０】
この例では、時刻ｔ１において電圧信号として電圧ｖ１が入力され、その後、時刻ｔ２以降では通信信号が重畳された電圧信号となる。この場合、充電信号として、時刻ｔ１以降一定の電圧ｖ１が分離され、通信信号として、時刻ｔ２以降の電圧信号の変動成分が分離される。
【００３１】
充電部４７は、分波器４６により分離された充電信号が入力され、この充電信号に基づく充電電圧に応じて、充電池４８を充電する。なお、分波器４６を介さずに、スイッチ４５を介して充電端子１７から電圧信号が直接入力された場合には、この電圧信号に基づく充電電圧に応じて、充電池４８を充電する。
【００３２】
通信制御部４９は、分波器４６により分離された通信信号が入力され、この通信信号を携帯電話機１の制御用の信号としてＣＰＵ５１に送信することによりＣＰＵ５１での各種制御を実現可能とする。この通信信号には、例えば、製造工程で必要とされる各種検査制御信号、ソフトウェアのダウンロード制御信号、管理番号等が含まれる。
【００３３】
なお、通信制御部４９によるＣＰＵ５１への信号伝達は、充電端子１７への電圧信号の入力から所定時間後に開始されることとしてよい。これは、検査装置６０において、実際の通信信号の混合は、電圧信号の入力と同時には開始せず、時間差を設けることと同期する。このことにより、実際の通信信号を受け取るまでの所定時間、電圧信号の入力直後であるため不安定となりやすい信号状態において、ノイズを通信信号としてＣＰＵ５１に送信するおそれを低減できる。
【００３４】
電源制御回路部５０は、充電池４８が接続されており、充電池４８から供給される電源電圧を所定の電源電圧に変換し、変換後の電源電圧を他の電子部品や機能ブロック等に供給する。なお、電源制御回路部５０は、充電端子１７に対して電圧信号が入力されたことに応じて、所定の機能ブロックに対して電源を供給することができる。特に、通信制御部４９およびＣＰＵ５１に電源を供給することにより、分波器４６を介して入力された通信信号に基づく携帯電話機１の制御を可能としている。
【００３５】
ＣＰＵ５１は、携帯電話機１の全体を制御しており、特に、ＲＦ回路部４１、ＬＣＤ制御部４２、音声処理部４３およびカメラ（図示せず）に対して所定の制御を行う。また、ＣＰＵ５１は、先に述べたメインアンテナ４０による電波状態や充電池４８の残量、不在着信および未読メールの有無等の内部状態を監視しており、この結果に基づいて、ＬＣＤ表示部２１の表示内容を変更したりする制御も行う。
【００３６】
図５は、携帯電話機１を含む制御システムの機能を示すブロック図である。制御システムは、検査装置６０を備え、携帯電話機１の充電端子１７に電圧信号を入力する。
【００３７】
検査装置６０は、混合器６１と出力端子６２とを備える。混合器６１は、携帯電話機１の充電池４８を充電するための充電信号と、携帯電話機１の制御に関する通信信号と、を混合し、電圧信号を生成する。
【００３８】
出力端子６２は、混合器６１により生成された電圧信号を出力し、携帯電話機１の充電端子１７に入力する。出力端子６２は、接触式ピン端子等により構成されて充電端子１７に接触される端子であり、通信用のインタフェース端子に比べて簡素で丈夫な構造とすることができると共に、携帯電話機１との電気的な接続を容易に行うことができる。したがって、システムの使用を繰り返した場合であっても、耐久性に優れ、メンテナンスの工数を削減できる可能性がある。
【００３９】
図６は、携帯電話機１の処理を示すフローチャートである。携帯電話機１は、電源ＯＦＦの状態で検査装置６０に接続され、検査装置６０からの電圧信号の入力を受け付ける。
【００４０】
ステップＳ１では、電源制御回路部５０は、充電端子１７に電圧信号が入力されたか否かを判定する。この判定がＹＥＳの場合はステップＳ２に移り、この判定がＮＯの場合はステップＳ１の判定を繰り返す。
【００４１】
ステップＳ２では、電圧信号が入力されたので、電源制御回路部５０は、通信制御部４９に通信信号を受信させるために、ＣＰＵ５１および通信制御部４９に電源の供給を開始する。
【００４２】
ステップＳ３では、分波器４６は、入力された電圧信号を、充電信号と通信信号とに分離する。そして、分離された充電信号は充電部４７に供給され、通信信号は通信制御部４９に供給される。
【００４３】
ステップＳ４では、通信制御部４９は、所定時間が経過したか否かを判定する。この所定時間は、通信信号による携帯電話機１の制御を開始するまでの時間として予め設定されるものである。判定がＹＥＳの場合はステップＳ５に移り、判定がＮＯの場合はステップＳ６に移る。例えば、電圧信号が入力されてから所定時間が経過するまで（図４における時刻ｔ１〜ｔ２）は、通信信号が含まれていないと判定されて、ステップＳ６に移り、図４のｔ２以降の所定の間欠時間帯（充電信号に制御信号が重畳されている時間帯）であると判定されると、ステップＳ５に移る。
【００４４】
ステップＳ５では、通信制御部４９は、ステップＳ３にて分離された通信信号を受け取り、携帯電話機１の制御信号としてＣＰＵ５１に送信する。そして、ＣＰＵ５１は、受信した制御信号に基づいて、携帯電話機１の制御を行う。
【００４５】
ステップＳ６では、充電部４７は、ステップＳ３にて分離された充電信号を受け取り、これを充電電圧として、充電池４８を充電する。
【００４６】
ステップＳ７では、電源制御回路部５０は、充電端子１７に入力される電圧信号がなくなったか否かを判定する。この判定がＹＥＳの場合はステップＳ９に移り、この判定がＮＯの場合はステップＳ３に戻る。
【００４７】
ステップＳ８では、電圧信号の入力がなくなったので、電源制御回路部５０は、各部への電源供給を終了し、本処理フローを終了する。
【００４８】
本実施形態によれば、充電端子１７への電圧信号を用いて、簡便に通信信号を入力できる。これにより、特に製造工程における検査時には、電源の投入や特別な通信端子を接続する操作を必要としない。更に、充電端子の電圧を検知することにより自動的に通信を開始できるため、通信開始のために携帯電話機１を操作する必要もないため、検査の工数を削減することができる。
【００４９】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００５０】
【図１】本発明の実施形態に係る携帯電話機１の外観斜視図である。
【図２】本発明の実施形態に係る折り畳み状態の携帯電話機１を操作部側筐体２側から見た概観図である。
【図３】本発明の実施形態に係る携帯電話機１の機能を示すブロック図である。
【図４】本発明の実施形態に係る充電端子１７間に入力される電圧信号（ａ）に対して、分波器４６による分波後の充電信号（ｂ）および通信信号（ｃ）の時間変化を示すグラフである。
【図５】本発明の実施形態に係る制御システムの機能を示すブロック図である。
【図６】本発明の実施形態に係る携帯電話機１の処理を示すフローチャートである。
【符号の説明】
【００５１】
１  携帯電話機
１７  充電端子
４５  スイッチ
４６  分波器
４７  充電部
４８  充電池
４９  通信制御部
５０  電源制御回路部
５１  ＣＰＵ
６０  検査装置
６１  混合器
６２  出力端子
【図１】
0004996437.tif 000002
【図２】
0004996437.tif 000003
【図３】
0004996437.tif 000004
【図４】
0004996437.tif 000005
【図５】
0004996437.tif 000006
【図６】
0004996437.tif 000007